(57)【特許請求の範囲】
【請求項１】
商品の代金の精算を行う商品の代金精算システムであって、
前記商品に関する少なくとも識別情報を含む情報が書き込まれたＩＣタグと、
前記ＩＣタグを前記商品へ着脱自在とするＩＣタグ着脱手段と、
前記商品の代金を精算するための代金精算装置と、を備え、
前記代金精算装置は、
少なくとも前記商品の識別情報と値段とを含む商品データを複数記憶する記憶手段と、
載置面を備え該載置面上にある前記ＩＣタグと交信して情報の読み書きを行うＩＣタグリーダ・ライタと、
前記ＩＣタグリーダ・ライタで読み取った前記ＩＣタグに書き込まれている情報に基づいて前記商品の代金を計算する代金計算手段と、
代金精算やＩＣタグのリサイクルを行う動作モードを切り換えるモード切換手段と、
ＩＣタグのリサイクルを行う動作モードで前記載置面上にあるＩＣタグを計数するＩＣタグ計数手段と、
前記ＩＣタグ計数手段で計数したＩＣタグの個数を表示するタグ個数表示手段と、
ＩＣタグのリサイクルを行う動作モードで一商品の商品データを呼び出して前記ＩＣタグリーダ・ライタを介して前記載置面上にある前記ＩＣタグにまとめて前記商品データに基づき識別情報を書き込むＩＣタグ書込み手段と、
を備えることを特徴とする商品の代金精算システム。
【請求項２】
前記代金精算装置は、前記商品に関する情報を格納する情報格納手段と、該情報格納手段に格納された前記商品に関する情報を読み出す読出手段と、を具備し、
前記ＩＣタグ書込み手段は、前記読出手段により読み出された前記商品の情報を前記ＩＣタグに書き込むとともに、
前記読出手段により読み出された前記商品に関する情報を印字した印字物を出力する印字物出力手段をさらに備えたことを特徴とする請求項１に記載の商品の代金精算システム。
【請求項３】
前記印字物出力手段は、前記ＩＣタグ計数手段により計数された前記ＩＣタグと同数の印字物を出力することを特徴とする請求項２に記載の商品の代金精算システム。
【請求項４】
前記ＩＣタグは、前記印字物出力手段により出力された印字物をその印字内容を外部から目視可能な状態で装着する印字物装着部を備えることを特徴とする請求項２又は３に記載の商品の代金精算システム。
【請求項５】
前記印字物出力手段は、前記商品に関する情報として、少なくとも前記商品の品名、価格、コード情報を印字した印字物を出力することを特徴とする請求項２乃至４のいずれかに記載の商品の代金精算システム。
【発明の詳細な説明】
【技術分野】
【０００１】
本発明は、時計、宝飾品を販売する宝飾店や、バックや鞄を扱う店、衣料品販売店、又は、ベーカリー店や菓子店あるいは惣菜店などの調理食品を販売する調理食品販売店など多岐に渡り利用及び活用することができる商品の代金精算システムに関するものである。本発明を説明するに当り、調理食品を取り扱う調理食品販売店を例に説明を行う。特に、焼き上がったパンや菓子等の調理食品を陳列し、お客が陳列されている調理食品をセルフサービスでトレイに載置して代金精算所へ持って行き、そこで店員によるトレイ上の調理食品の代金精算を行ういわゆるカフェテリア方式の調理食品販売店（調理食品を持ち帰る販売店を含む）へ導入し、好適な調理食品の代金精算システムを用いて分かりやすく説明を行う。
【背景技術】
【０００２】
従来のベーカリー店や菓子店などの調理食品販売店には、焼き上がったパンや菓子等の調理食品を包装せずにそのまま開放された棚に陳列し、この陳列された調理食品をお客がセルフサービスでトレイに載置して代金精算場所へ持って行き、店員が代金の精算を行ういわゆるカフェテリア方式の店舗がある。
【０００３】
このような調理食品販売店における調理食品の代金精算システムとして、ＩＣタグを用いた代金精算システムが提案されている（例えば、特許文献１）。このシステムは、調理食品の包装にＩＣタグを取り付け、ＩＣタグに書き込まれている調理食品の商品名や価格などの情報をＩＣタグリーダで読み取り、読み取った情報に基づいて代金を精算するシステムである。このＩＣタグを用いた代金精算システムによれば、調理食品の代金精算を短時間で効率良く正確に行うことが可能となる。
【特許文献１】特開２００７−２９３７２４号公報
【発明の開示】
【発明が解決しようとする課題】
【０００４】
上記のような代金精算システムでは、従来、調理食品に取り付けるＩＣタグは、一度だけの使用で廃棄処分される場合が多かった。ところが、ＩＣタグの単価が従前よりも安くなったとはいえ、ＩＣタグを回収せずに使い捨てると、販売する調理食品の数と同数のＩＣタグを廃棄することになり、その分、販売経費が嵩むこととなる。そこで、ＩＣタグを再利用できれば、新たに購入するＩＣタグの数を少なく抑えて経費節減が図れるため、上記のような代金精算システムにおいて、ＩＣタグの再利用を促進するための新たな技術に対するニーズがある。
【０００５】
一度商品に取り付けたＩＣタグを取り外して再利用する場合、ＩＣタグに書き込まれている情報と新たに取り付ける商品の情報とを正確に一致させる必要がある。この情報の一致を確認しないで別の商品に付け替えたＩＣタグを使用すると、代金精算時に実際の商品と情報とが一致せず、トラブルに繋がる可能性がある。
【０００６】
そのため、従来は、回収したＩＣタグを再利用する場合、代金精算装置の訓練モードなどを用いてＩＣタグに書き込まれている情報を確認した後、ＩＣタグの保管場所を商品毎に分けて管理していた。そして、他の調理食品にＩＣタグを取り付ける際、ＩＣタグを該当する調理食品に対応する保管場所から選び出していた。ところがこのやり方では、ＩＣタグに書き込まれている情報の確認作業や仕分作業に非常に手間が掛かる上に、情報の確認ミスやＩＣタグの仕分け管理ミス、さらにはＩＣタグの取り付け間違いなどが発生する可能性があり、ＩＣタグを用いた代金精算システムの信頼性を損ねてしまうおそれがあった。
【０００７】
また、ホストコンピュータに接続されているＩＣタグリーダ・ライタ装置を用いてＩＣタグに調理食品の情報を書き込む場合、ＩＣタグに書き込まれた情報を目視確認できる印字ラベルをＩＣタグに貼付するが、このラベルは、現状では、ホストコンピュータに接続されているＩＣタグリーダ・ライタ装置を含む一連の装置とは異なる装置で別途に印刷されている。そのため、ＩＣタグへのラベルの貼り間違えなどの不手際が生じることがある。その場合、お客が購入する調理食品とその調理食品に取り付けられたＩＣタグの情報とが一致しないため、会計時にお客が予定していた合計金額と提示される請求金額とに差額が生じ、お客に迷惑がかかるのみならず、お店の信用低下などの問題が生じかねなかった。
【０００８】
本発明は上述の点に鑑みてなされたものでありその目的は、ＩＣタグへの情報の書き込みを容易かつ正確に行え、効率良くＩＣタグの再利用を図ることができる商品の代金精算システムを提供することにある。
【課題を解決するための手段】
【０００９】
上記課題を解決するため本発明にかかる商品の代金精算システムは、商品に関する少なくとも識別情報を含む情報が書き込まれたＩＣタグと、ＩＣタグを商品へ着脱自在とするＩＣタグ着脱手段と、商品の代金を精算するための代金精算装置と、を備え、代金精算装置は、少なくとも商品の識別情報と値段とを含む商品データを複数記憶する記憶手段と、載置面を備え該載置面上にあるＩＣタグと交信して情報の読み書きを行うＩＣタグリーダ・ライタと、ＩＣタグリーダ・ライタで読み取ったＩＣタグに書き込まれている情報に基づいて商品の代金を計算する代金計算手段と、代金精算やＩＣタグのリサイクルを行う動作モードを切り換えるモード切換手段と、ＩＣタグのリサイクルを行う動作モードで載置面上にあるＩＣタグを計数するＩＣタグ計数手段と、ＩＣタグ計数手段で計数したＩＣタグの個数を表示するタグ個数表示手段と、ＩＣタグのリサイクルを行う動作モードで一商品の商品データを呼び出してＩＣタグリーダ・ライタを介して載置面上にあるＩＣタグにまとめて商品データに基づき識別情報を書き込むＩＣタグ書込み手段と、を備えることを特徴とする。
【００１０】
本発明では、少なくとも商品の識別情報と値段とを含む商品データを複数記憶する記憶手段と、載置面を備え該載置面上にある前記ＩＣタグと交信して情報の読み書きを行うＩＣタグリーダ・ライタと、ＩＣタグリーダ・ライタで読み取ったＩＣタグに書き込まれている情報に基づいて商品の代金を計算する代金計算手段と、代金精算やＩＣタグのリサイクルを行う動作モードを切り換えるモード切換手段と、ＩＣタグのリサイクルを行う動作モードで載置面上にあるＩＣタグを計数するＩＣタグ計数手段と、ＩＣタグ計数手段で計数したＩＣタグの個数を表示するタグ個数表示手段と、ＩＣタグのリサイクルを行う動作モードで一商品の商品データを呼び出してＩＣタグリーダ・ライタを介して載置面上にあるＩＣタグにまとめて商品データに基づき識別情報を書き込むＩＣタグ書込み手段と、を代金精算装置に設けたので、商品の代金精算時には代金精算手段にて代金精算処理を行うことができ、かつ、代金精算後にＩＣタグ書込み手段にてＩＣタグに情報を書き込むことができる。これにより、一度商品に付して使用したＩＣタグを他の商品に付け換えて再利用（リサイクル）することが可能となる。また、商品の代金精算とＩＣタグのリサイクルとを一の代金精算システムで実現できるので、別途のＩＣタグ書込装置やシステムを導入することなく、ＩＣタグのリサイクルを促進することができる。また、複数のＩＣタグのデータをまとめて書き込むことなども可能になるので、必要な操作なども簡略化され、ＩＣタグを効率良く再利用することができる。
【００１１】
また、上記の商品の代金精算システムでは、代金精算装置は、商品に関する情報を格納する情報格納手段と、情報格納手段に格納された商品に関する情報を読み出す読出手段と、を具備し、ＩＣタグ書込み手段は、読出手段により読み出された商品の情報をＩＣタグに書き込むとともに、読出手段により読み出された商品に関する情報を印字した印字物を出力する印字物出力手段を備えてもよい。
【００１２】
この構成によれば、代金精算装置でＩＣタグに情報を書き込む際、書き込む情報を印字した印字物を出力することができる。したがって、印字物をＩＣタグに取り付けることで、ＩＣタグに書込まれた情報を目視にて確認することが可能となり、ＩＣタグの取り違えなどの人為的ミスを未然に防止できる。また、代金精算時にＩＣタグの読取不良が生じた場合でも、印字情報に基づいて代金精算を行うことができるので、商品の代金精算処理がスムーズに行えるようになる。
【００１３】
また、上記の商品の代金精算システムでは、ＩＣタグ計数手段により計数されたＩＣタグと同数の印字物を出力するようにしてもよい。
【００１４】
この構成によれば、商品の情報を印字する際に載置面上にあるＩＣタグの個数をＩＣタグ計数手段で計数することで、情報を書き込むＩＣタグと同数の印字物を作成できる。これにより、情報が書き込まれたすべてのＩＣタグに印字物を装着できるので、ＩＣタグに書き込まれた情報とＩＣタグに付された印字の情報とを一対一に正確に対応させることができる。また、万一ＩＣタグへの情報の書込不良などが生じた場合でも、不良ＩＣタグの存在を書込みデータと印字物の印字との照合結果から検知することができる。
【００１５】
また、上記の商品の代金精算システムでは、ＩＣタグは、印字物出力手段により出力された印字物をその印字内容を外部から目視可能な状態で装着する印字物装着部を備えてもよい。
【００１６】
ＩＣタグの情報を書き込んで再利用する場合、現在書込まれている情報と異なる別の商品の情報がＩＣタグに書込まれることが多い。そのため、万一、ＩＣタグの取り違えが生じても、商品へのＩＣタグ取付時又は代金精算時に取り違えを発見できるようにしておく必要がある。そこで、ＩＣタグに上記の印字物装着部を備えるようにする。これによれば、ＩＣタグ取付時や代金精算時にＩＣタグに書込まれた情報をシステムの操作者が目視で確認できるので、ＩＣタグの取り違えに起因する人為的ミスを未然に防止できるようになる。
【００１７】
上記の印字物出力手段は、商品に関する情報として、少なくとも商品の品名、価格、コード情報を印字した印字物を出力するものであってもよい。
【００１８】
これによれば、ＩＣタグの読取不良などが生じた場合でも、ＩＣタグに取り付けられた印字物に印字された商品の品名、価格、コード情報を用いて商品の代金精算が可能であり、代金精算を滞りなく行うことができる。これにより、システムの操作者が戸惑うことなくスムーズに代金精算処理を行うことができる。
【発明の効果】
【００２１】
本発明にかかる表品の代金精算システムによれば、一つシステムでＩＣタグによる代金精算が簡単にできると共に、使用済みの複数のＩＣタグにまとめて商品の識別情報を書き込むことが安価で容易に再利用ができ、本代金精算システムが認識したＩＣタグの数と実数との確認ができるので、載置面上のＩＣタグの向きが悪い等の原因により必要な情報が書き込まれないＩＣタグを商品に取り付けてしまうというミスを防ぐことができる。
【発明を実施するための最良の形態】
【００２２】
以下、添付図面を参照して本発明の実施形態を詳細に説明する。図１は、パン等調理品を販売する店舗内の概略配置構成例を示す平面図である。本店舗は、お客がセルフサービスで陳列棚に陳列されているパン等の調理食品の中から好みの商品を選択してトレイに載せ、このトレイを代金精算場所まで運ぶいわゆるカフェテリア方式の店舗である。店舗１００は、売場スペース１０１とバックルーム１０２とを有し、売場スペース１０１には、調理食品であるパン１０を陳列する陳列棚１０３と、後述する代金精算装置６０を設置する代金精算場所１０４と、来店したお客がパン１０を選ぶ際に使用する後述するトレイ６４が置かれているトレイ置場１０５とを備えている。なお１０６は出入口である。また店舗１００のバックルーム１０２には、焼き上がったパン１０をパン収納袋（後述）に入れたり、パン収納袋にＩＣタグ（後述）を装着したりする作業を行う作業台（作業場所）１０８が設置されている。
【００２３】
図２は、陳列棚１０３に陳列されるパン１０の外観構成例を示す図である。同図に示すパン１０は、収納体であるパン収納袋２０に収納されている。パン収納袋２０は、透明で且つ柔軟性のある合成樹脂材料箔で袋状に構成され、表面側２１と裏面側２２の一端の合わせ辺には開口部２３が設けられている。開口部２３は、パン１０を出し入れするためのもので、陳列時には開けた状態にしておくことで、通気性を確保する。また表面側２１と裏面側２２には、図示は省略するが、径が数ミリの多数の小孔が多数設けられている。このようにパン収納袋２０に多数の小孔を設けたり、陳列時に開口部２３を開けた状態にしておくことにより、パン１０から出る水分をパン収納袋２０の外部に逃がし、パン１０を出来るだけ焼きたての状態に保って陳列することが可能となる。
【００２４】
パン収納袋２０には、クリップ４０によってＩＣタグ３０が装着されている。図３は、ＩＣタグ３０及びクリップ４０の構成例を示す図である。ＩＣタグ３０とクリップ４０は、図３に示すように、ＩＣタグ３０は、クリップ４０のレバー４４に設けた貫通孔４５とＩＣタグ３０に設けた貫通孔３３を貫通するリング状の連結具５０を介して遊びを持った状態で吊り下げられている。そしてクリップ４０は、図２に示すように、パン収納袋２０の開口部２３の一方の端部２０ａの近傍を挟んで装着される。これにより、ＩＣタグ３０はパン収納袋２０に吊り下げた状態で取り付けられる。なお、クリップ４０を装着する位置は、上記以外にもパン収納袋２０の他の隅部あるいはその近傍などであっても良いし、パン収納袋２０のいずれかの端辺であれば他の位置に挟んで装着しても良い。
【００２５】
図４は、ＩＣタグ３０の詳細構成例を示す拡大図である。ＩＣタグ３０は、樹脂材料からなる平板状の基部３２を備え、基部３２の内部にＲＦＩＤ（Radio Frequency Identification）タグ３１が埋め込まれている。ＲＦＩＤタグ３１は、内蔵するアンテナ３１ａの面がＩＣタグ３０の表面３０ａ及び裏面３０ｂと平行になるように埋め込まれている。ＲＦＩＤタグ３１には、後述するようにパン１０の商品情報が書き込まれる。
【００２６】
また、ＩＣタグ３０には、レシート装着部（印字物装着部）３４が設けられている。レシート装着部３４は、基部３２の表面３０ａに設けた袋状の収納部であり、後述するレジスター６２のレシート発行部６２ｃで印字発行された名札レシート３５を開口部３４ａから差し込んで装着する。名札レシート３５には、ＩＣタグ３０を取り付けるパン１０の名称、価格、及びそれらの情報が記録されたバーコードが印字されている。レシート装着部３４は、透明あるいは半透明材料で構成されており、装着した名札レシート３５の印字内容をＩＣタグ３０の表面３０ａ側から目視可能になっている。なお、ＩＣタグ３０の基部３２を透明あるいは半透明材料で構成し、かつ、名札レシート３５の裏面側にも印字を設けておけば、ＩＣタグ３０の裏面３０ｂ側からも名札レシート３５の印字内容を目視可能となる。
【００２７】
次に、代金精算場所１０４に設置される代金精算装置について説明する。図５は代金精算装置６０の外観構成例を示す概略斜視図である。代金精算装置６０は、ＩＣタグ３０の情報を読み取るとともにＩＣタグ３０に情報を書き込むＩＣタグリーダ・ライタ６１と、レジスター６２とを備えている。
【００２８】
ＩＣタグリーダ・ライタ６１は、平坦面状のトレイ載置面６３を備えている。また、トレイ載置面６３に載置されたトレイ６４上のＩＣタグ３０と交信するためのアンテナ６５を備えている。アンテナ６５は、トレイ載置面６３の内部に設置されていて、トレイ載置面６３から垂直上方に向かって電磁波を出力することで、トレイ載置面６３上のトレイ６４に載せられたＩＣタグ３０と直接データ授受を行うことができる。なお、トレイ６４は電磁波を通すことができる合成樹脂材料などの誘電体材料で形成されている。
【００２９】
レジスター６２は、操作入力部６２ａ、店員側表示部６２ｂ、レシート発行部（印字物出力手段）６２ｃ、スキャナ部６２ｄ、客側表示部６０４、カードリーダ部６０７の各部を備えている。操作入力部６２ａは、店員が必要な情報の手入力操作を行うための各種操作ボタンを有している。店員側表示部６２ｂは、店員が操作内容などを確認するためのもので、指でタッチすることで操作入力が可能なタッチパネル式の液晶画面からなる。客側表示部６０４は、お客が商品の購入金額などを確認するためのもので、商品価格などの表示が可能な液晶画面で構成されている。レシート発行部６２ｃは、ＩＣタグ３０に取り付ける名札レシート３５及び購入商品の明細を記したお客に手渡すレシートを印字発行するもので、レシート用紙に文字やバーコードを印字するプリンター機能を備えている。スキャナ部６２ｄは、ＩＣタグ３０に取り付けられた名札レシート３５のバーコードを読み取るためのハンディ型のスキャナなどで構成されている。カードリーダ部６０７は、クレジットカードなどの情報を読み取るための読取手段を備えている。
【００３０】
図６は、代金精算装置６０の構成を示すブロック図である。代金精算装置６０は、図５に示す各部に加えて、装置全体の動作を統括制御するためのＣＰＵ（中央演算処理装置）６００、ハードディスクなどで構成された記憶部６０１、装置を動作させるためのプログラム等のデータが格納されたＲＯＭ６０２、ＣＰＵ６００による処理実行時にデータを一時的に格納するためのＲＡＭ６０３、お客へ手渡す釣銭やお客からの預かり金を保管管理するドロア部６０５、ＬＡＮ等のネットワークを介して他のコンピュータとの間で情報通信を行うための通信部６０６、ＣＰＵ６００の動作に伴うエラーなどを報知するブザーを備えた報知部６０８の各部を有している。在庫管理データなどの各種データは、ＲＯＭ６０２以外にも記憶部６０１などに格納してもよい。ＣＰＵ６００は、後述するように、情報格納手段に格納されたパン１０に関する情報を読み出す読出手段としての機能と、トレイ６４上に載置されたＩＣタグ３０を計数するＩＣタグ計数手段としての機能を有する。なお、図５に示した操作入力部６２ａ、店員側表示部６２ｂ、レシート発行部６２ｃ、スキャナ部６２ｄ、客側表示部６０４、カードリーダ部６０７は、それぞれ図６に示す同符号の各部に対応している。
【００３１】
レジスター６２は、ＩＣタグリーダ・ライタ６１が読み取った情報を入力して登録し、該情報に基づいてトレイ６４上のパン１０の合計代金を計算する代金精算手段としての機能を有する。また、情報格納手段から読み出した後述する商品マスタデータあるいは在庫管理データに基づいて、ＩＣタグリーダ・ライタ６１を介してトレイ６４上のＩＣタグ３０へ商品データを書き込むＩＣタグ書込み手段としての機能も有する。
【００３２】
図７は、レジスター６２の店員側表示部６２ｂに表示したメニュー画面の構成例を示す図である。メニュー画面では、表示されるタッチボタン７０として、代金精算手続を行うための各種機能を実行するボタンとともに、ＩＣタグ３０のデータを書き込んで再利用するためのＩＣタグ・リサイクルボタン７０ａが設けられている。ＩＣタグ・リサイクルボタン７０ａを押すことによって、代金精算装置６０の動作モードをＩＣタグ・リサイクルモードに切り換えることができる。このＩＣタグ・リサイクルモードの詳細については後述する。なお、 前記ＩＣタグ・リサイクルボタンをメニュー画面に設けているが、お客が購入する商品を買い上げ登録する画面、代金清算を行う画面に前記ＩＣタグ・リサイクルのボタンをプリセットしておき適宜使用する方法を用いても良い。
【００３３】
図８は、ＲＯＭ６０２や記憶部６０１に格納された商品マスタデータ及び在庫管理データの一例を示す図である。同図に示すように、商品マスタデータ７５には、各商品の商品コード、商品名称、値段（商品価格）、データ区分、登録日時分秒などのデータが記録されている。また、各商品にはバーコード（コード情報）が付与されている。データ区分とは、ＩＣタグ３０の在庫管理を行うか否かの情報を示すものである。一方、在庫管理データ７６には、各商品の商品コード、商品名称、値段のほか、適正ＩＣタグ作成個数、売個数、現在在庫個数、ＩＣタグ作成開始個数、ＩＣタグ作成日時などのデータが記録されている。在庫管理データ７６でも、各商品にはバーコードが付与されている。また、各商品には在庫管理番号が割り振られている。ここで、適正ＩＣタグ作成個数とは、ＩＣタグ作成の上限値（個数）を規定するものである。また、現在在庫個数とは、陳列棚１０３に陳列されているＩＣタグ３０が装着されたパン１０と調理が完了した調理食品に取り付けるために用意しているＩＣタグ３０の個数を示す。ＩＣタグ作成開始個数とは、後述するようにＩＣタグ３０の作成（ＩＣタグ３０へ情報の書き込み）を自動で行う場合におけるＩＣタグ作成開始を指示する基準個数を示すものである。
【００３４】
ここで、出来上がったパン１０を陳列棚１０３に陳列する準備段階から、お客（購入者）がパン１０を購入して代金精算手続きを終えるまでの手順について説明する。図９は、この手順を説明するためのフローチャートである。まず、店員は、図１に示すバックルーム１０２内でパン１０を焼き、焼き上がったパン１０を作業台１０８上でパン収納袋２０に入れる。また、あらかじめＩＣタグリーダ・ライタ６１などによって、ＩＣタグ３０にパン１０の商品データ（商品名称、商品価格）を書き込んでおく。それとともに、レシート発行部６２ｃなどで図４に示す名札レシート３５を発行しておき、該名札レシート３５をＩＣタグ３０のレシート装着部３４に装着しておく。このＩＣタグ３０をパン収納袋２０の開口部２３の近傍にクリップ４０で装着する（ステップＳＴ１）。次に店員は、パン収納袋２０に入ったパン１０を、パン収納袋２０の開口部２３が開いたままの状態で、種類ごとに分類して陳列棚１０３に陳列する（ステップＳＴ２）。
【００３５】
陳列棚１０３に陳列されているパン１０を選んだお客は、パン１０をＩＣタグ３０が装着されたパン収納袋２０ごとトレイ６４上に載置する（ステップＳＴ３）。お客は選んだパン１０をトレイ６４に載せたら、トレイ６４を代金精算場所１０４まで持って行き、図５に示すようにＩＣタグリーダ・ライタ６１のトレイ載置面６３に載置する（ステップＳＴ４）。
【００３６】
パン１０を載せたトレイ６４がトレイ載置面６３に載置されると、アンテナ６５でＩＣタグ３０の情報が読み取られる（ステップＳＴ５）。読み取られた情報は、レジスター６２に送信される。レジスター６２のＣＰＵ６００は、受信した情報と一致する商品情報（商品名、価格、コード情報）を自身が記憶する商品マスタデータ７５を読み出し、それに基づいてトレイ６４上のパン１０の合計代金を算出して表示する。店員がお客から代金を受け取ってレジスター６２で締め操作を行うと、レシート発行部６２ｃで代金精算の明細を印字したレシートが発行される。これにより代金精算手続が終了する（ステップＳＴ６）。このとき精算された調理食品と対応する在庫管理データ７６を読み出し、販売した個数分売個数が加算され、現在在庫個数より販売した個数分が減算される。この際、店員は、代金精算が終了したパン１０のパン収納袋２０に装着されているＩＣタグ３０を取り外して回収する（ステップＳＴ７）。また店員は、ＩＣタグ３０をパン収納袋２０から取り外し、パン１０をパン収納袋２０ごと、図示しない持ち帰り用の外袋に入れてお客に手渡す（ステップＳＴ８）。
【００３７】
さらに、本実施形態の代金精算システムでは、上記の代金精算手続が終了した後、パン収納袋２０から取り外したＩＣタグ３０の商品情報を書き込むことができる。以下、図１０のフローチャートを用いてこの手順を詳細に説明する。なお、ここではＩＣタグ３０の書込み（ＩＣタグ３０の作成）を手動操作で行う場合について説明する。まず、店員によって、店員側表示部６２ｂのメニュー画面にあるＩＣタグ・リサイクルボタン７０ａが押されると、代金精算装置６０がＩＣタグリサイクルモードに切り換わり（ステップＳＴ１０）、図１１の表示例が店員側表示部６２ｂに表示されている。図１１に示す例では、店員側表示部６２ｂに表示される商品データ８０には、商品コード、識別コード、商品名称、商品価格の各情報が含まれている。
【００３８】
続いて、店員は、ステップＳＴ７でパン収納袋２０から取り外されたＩＣタグ３０を載せたトレイ６４をトレイ載置面６３に載置する（ステップＳＴ１１）。この際、ＩＣタグ３０は、複数個をまとめてトレイ６４に載せることができる。この状態で、ＩＣタグ３０へ書き込み予定の商品データの呼び出しを行う（ステップＳＴ１２）。店員側表示部６２ｂに表示された商品データ８０のバーコードと表記されたボタンをタッチし、各調理食品のデータを呼び出すバーコードと商品名称とが記載されたコードブックより、今回書き込み予定の商品データと対応するバーコードをスキャナ６２ｄを用いて読み込ませ、入力ボタン８２を押下することにより書き込み予定の商品データの呼び出しが行われる。またこのとき、ＩＣタグリーダ・ライタ６１を介して得たデータに基づき、ＣＰＵ６００によりトレイ６４上のＩＣタグ３０の個数が計数される（ステップＳＴ１３）。その後、呼び出された商品データと計数されたトレイ６４上のＩＣタグ３０の個数とが店員側表示部６２ｂに表示される（ステップＳＴ１４）。
【００３９】
また、店員側表示部６２ｂには、商品データ８０をＩＣタグ３０に書き込む作業を実行するための実行ボタン８１が設けられている。この実行ボタン８１が押される（ステップＳＴ１５）ことで、商品データ８０の情報がトレイ６４上のＩＣタグ３０に書き込まれる（ステップＳＴ１６）。こうして、ＩＣタグ３０に格納された商品情報のデータが書き込まれる。なお、店員側表示部６２ｂには、入力ボタン８２、終了ボタン８３が設けられている。
【００４０】
その後、レシート発行部６２ｃにおいて、商品データ８０の情報が印字された名札レシート３５が印字発行される（ステップＳＴ１７）。図１２は、発行される名札レシート３５の一例を示す図である。名札レシート３５は、トレイ６４上のＩＣタグ３０と同数が一括して出力される。このときの名札レシート３５は、同図（ａ）に示すように、各名札レシート３５が短冊状に連なった状態で発行される。なお、各名札レシート３５の間には、それらの分離を容易にするためレシート正面より左右どちらか一方の端部のみを残して、破線３５ｂで示す位置を切り離す方法により、横長の細片状がバラバラになることが無く連なった状態となっているので取扱いやすい。また、ミシン目を破線３５ｂの位置に入れておいてもよい。また、名札レシート３５は、同図（ｂ）に示すように、横長の細片状で、左右両側に同一の印字が設けられている。この名札レシート３５は、中央に設けた折曲線３５ａにて山折りに折り曲げれば、表裏両面に同じ印字が表示された状態となる。この状態の名札レシート３５をＩＣタグ３０のレシート装着部３４に装着すれば、ＩＣタグ３０の表裏両面から印字内容を目視可能な状態となる。
【００４１】
ＩＣタグ３０への商品データの書き込みが終了したら、店員は、ＩＣタグ３０を載せたトレイ６４をトレイ載置面６３から降ろす（ステップＳＴ１８）。その一方で、連なった各名札レシート３５を一枚ずつ切り離す。そして、ＩＣタグ３０のレシート装着部３４に名札レシート３５を装着する（ステップＳＴ１９）。これにより、ＩＣタグ３０をこれまでとは異なる種類のパン１０に取り付けて使用可能な状態となる。
【００４２】
以上説明したように本実施形態の代金精算システムによれば、代金精算装置６０は、ＩＣタグ３０の情報を読み取って代金の精算を行う代金精算機能とＩＣタグ３０に情報を書き込むＩＣタグ書込み機能の両方の機能を備えるので、パン１０の代金精算時には代金精算機能にて代金精算処理を行うことができ、かつ、代金精算後にはＩＣタグ書込み換機能にてＩＣタグ３０に情報を書き込み、一度パン１０に付して使用したＩＣタグ３０を他の種類のパン１０に付け換えて再利用（リサイクル）することが可能となる。このように、パン１０の代金精算とＩＣタグ３０のリサイクルとを一の代金精算システムで実現できるので、別途のＩＣタグ書込装置やシステムを導入することなく、ＩＣタグ３０のリサイクルを促進することができる。また、ＩＣタグ３０に情報の書き込みを行う際には、一度に複数個のＩＣタグ３０をトレイ６４に載せて、これら複数のＩＣタグ３０のデータをまとめて書込むことができる。これにより、必要な操作なども簡略化され、ＩＣタグ３０を効率良くリサイクルすることができる。
【００４３】
また、この代金精算システムでは、代金精算装置６０でＩＣタグ３０に書き込まれている情報を書き込む際、書き込んだ後の情報を印字した名札レシート３５を出力することができる。この名札レシート３５をＩＣタグ３０に装着することで、ＩＣタグ３０に書き込まれている情報を目視にて確認することが可能となるので、ＩＣタグ３０の取り違えなどの人為的ミスを未然に防止できる。また、代金精算時にＩＣタグ３０の読取不良が生じた場合などでも、名札レシート３５に印字された情報に基づいて代金精算を行うことができるので、代金精算処理がスムーズに行える。
【００４４】
なお、本実施形態では、代金精算後にパン収納袋２０に装着されているＩＣタグ３０を取り外して回収し、回収したＩＣタグ３０をまとめてトレイ６４に載せてＩＣタグ３０の商品情報の書き込みを行う場合を説明したが、これ以外にも、次のような方法でＩＣタグ３０の商品情報の書き込みを行うことが可能である。すなわち、図９で示すステップＳＴ６のパン１０の代金精算終了後（お客へ手渡すレシートの発行後）、トレイ６４上に載置されているパン１０の収容されたパン収納袋２０にＩＣタグ３０が装着されている段階で、他のパン１０に関する商品情報をＩＣタグ３０へ書き込むようにする。また、それと同時に当該商品情報を印字した名札レシート３５を発行する。
【００４５】
この方法によれば、トレイ６４上のパン１０の代金精算が終了した時点で、トレイ６４上のパン収納袋２０に装着されているＩＣタグ３０には、すでに新しいパン１０の情報が書き込まれた状態となる。したがって、代金精算手続きが終了した後、パン収納袋２０からＩＣタグ３０を取り外して回収し、このＩＣタグ３０に新しい商品情報が印字された名札レシート３５を装着すれば、ＩＣタグ３０に情報を書み込む作業が完了する。これにより、代金精算手続と別作業でＩＣタグ３０に情報を書み込む作業を行う必要がなくなるので、ＩＣタグ３０に情報の書み込みに伴う操作間違えなどの不手際を未然に防止できるとともに、必要の無い商品情報や間違った商品情報をＩＣタグ３０へ書込むおそれが少なくなる。
【００４６】
また、この方法によれば、トレイ６４上のパン１０の代金精算が終了した時点で、ＩＣタグ３０の情報を書き込み新しいＩＣタグ３０を自動的に作成することが可能となる。このＩＣタグ３０を自動的に作成する手順について簡単に説明すると、例えば、図８に示す例では、在庫管理番号１０００１のアンパンの場合、現在在庫個数とＩＣタグ作成開始個数とが同じ（いずれも５個）である。ＩＣタグ３０の作成を自動で行うように設定している場合、このように現在在庫個数がＩＣタグ作成開始個数以下になった時点でＩＣタグ３０の作成が開始される。ＩＣタグ３０の作成が完了すると、作成されたＩＣタグ３０の個数が現在在庫個数に加えられる。なお、陳列棚１０３に陳列されているパン１０の個数に基づいてＩＣタグ３０を作成する以外にも、パン１０の出来上がりに合わせてＩＣタグ３０を作成するようにしてもよい。その場合は、出来上がったパン１０と同数のＩＣタグ３０を作成すればよい。
【００４７】
また、ＩＣタグ３０の情報を書き込む際、在庫管理データ７６に基づいて、今後陳列棚１０３で不足が予想されるパン１０（現在トレイ６４上でＩＣタグ３０が装着されているパン１０とは異なる種類のパン１０）の情報を在庫管理データ７６から読み出してＩＣタグ３０に書き込むことで、現在良く売れているパン１０に関する商品情報の書き込みを優先すれば、良く売れているパン１０を今後多く販売する場合でも、パン１０に取り付けるＩＣタグ３０が不足することを防げるようになる。なお、ここでは、上記のように在庫管理データ７６に基づいてＩＣタグ３０に書き込むデータを選択するほか、在庫管理データ７６の代わりにパン１０の注文データあるいはパン１０の調理完了データなどに基づいてＩＣタグ３０へ書き込むデータを選択するようにしてもよい。
【００４８】
以上本発明の実施形態を説明したが、本発明は上記実施形態に限定されるものではなく、特許請求の範囲、及び明細書と図面に記載された技術的思想の範囲内において種々の変形が可能である。例えば、ＩＣタグリーダ・ライタ６１は、上記実施形態で示す据置型のものに限らず、トレイ６４上のＩＣタグ３０との交信が可能な交信範囲及び交信距離を備えたものであれば、ハンディ型のＩＣタグリーダ・ライタなどを用いてもよい。その場合は、ハンディ型のＩＣタグリーダ・ライタをトレイ６４の上方からＩＣタグ３０にかざすことで情報の読み書きを行う。
【００４９】
なお、ＩＣタグ３０は着脱自在であるクリップ４０でパン収納袋２０に装着されているので、上記実施形態で示した代金精算方法以外にも、代金精算の際にあらかじめパン収納袋２０からＩＣタグ３０を取り外しておき、ＩＣタグ３０だけをＩＣタグリーダ・ライタ６１のトレイ載置面６３に載せることも可能である。また、ＩＣタグ３０に記憶させるデータはパン１０の価格情報のみであっても良い。
【００５０】
また、本発明の上記実施形態例では、読み取られたＩＣダグ３０の情報に基づき、レジスター６２のＣＰＵ６００で、前記ＩＣダグ３０の情報と一致する商品情報をレジスター６２自身が記憶する商品マスタデータ７５により読み出し、トレイ６４上のパン１０の合計代金を算出しているが、レジスター６２自身に商品マスタデータ７５を記憶保持させず、会計に必要な商品情報全てをＩＣタグ３０へ記憶させておき、商品マスタデータ７５が無い状態であってもトレイ６４上のパン１０の合計代金を算出できるようにしても良い。この場合、ＩＣタグ３０へ商品情報を自動で書き込むために在庫管理データ７６をレジスター６２自身に記憶させておき、会計で必要な値段等の情報は、ＩＣタグ・リサイクルの選択時に店員側表示部６２ｂに表示される図１１の商品データ８０で示す情報と、ＩＣタグ３０の在庫を管理する在庫管理データ７６の情報とに基づき、ＩＣタグ３０へ商品情報を書き込む方式を用いる。これにより、商品情報をＩＣタグ３０へ書き込む仕組みをよりシンプルにすることが出来る。
【００５１】
また、本発明の代金精算システムを導入する調理食品販売店は、未包装の調理食品を陳列し、お客が陳列された調理食品を選択してセルフサービスでトレイ６４上に取り代金精算場所へ運ぶカフェテリア方式の食品販売店舗であれば、扱う調理食品の種類はパンには限定されず、例えば菓子店で扱う菓子類や、惣菜店で扱う惣菜類などを調理食品としても良いし、それ以外にも種々の調理された食品を本発明の調理食品として適用できる。また、本発明の上記実施形態では、販売する商品として調理食品を取り上げ説明を行っているが、本発明に係る代金清算システム及び代金清算方法は、調理食品に限らず、例えば、時計及び宝飾品などＩＣタグを商品に付して会計清算を行う販売店であれば、特に販売する商品に限定されることなく広く用いられても良い。なお、商品が調理食品の場合は、商品に直接ＩＣタグを装着できない為、商品を収納する収納体にＩＣタグを装着しているが、時計や宝飾品等の商品にＩＣタグを装着する装着手段としては、紐等を用いて商品に装着してもよい。
【図面の簡単な説明】
【００５２】
【図１】本発明の一実施形態にかかる調理食品の代金精算システムを導入するベーカリー店の店舗内配置構成例を示す概略平面図である。
【図２】陳列棚に陳列されるパンの外観構成例を示す図である。
【図３】ＩＣタグとクリップの構成例を示す図である。
【図４】ＩＣタグの詳細構成例を示す図である。
【図５】代金精算装置の外観構成例を示す斜視図である。
【図６】代金精算装置の構成例を示すブロック図である。
【図７】レジスターの表示部に表示したメニュー画面を示す図である。
【図８】代金精算装置に格納された商品マスタデータと在庫管理データの一例を示す図である。
【図９】パンの代金精算処理の手順を示すフロー図である。
【図１０】ＩＣタグへの商品情報の書き込みを行う手順を示すフロー図である。
【図１１】商品情報などを表示した表示部を示す図である。
【図１２】発行された名札レシートの構成例を示す図である。
【符号の説明】
【００５３】
１０    パン（調理食品）
２０    パン収納袋（収納体）
３０    ＩＣタグ
３１    ＲＦＩＤタグ
３２    基部
３４    レシート装着部（印字物装着部）
３５    名札レシート（印字物）
４０    クリップ（着脱手段）
６０    代金精算装置
６１    ＩＣタグリーダ・ライタ
６２    レジスター（代金計算手段、ＩＣタグ書込み手段）
６２ａ  操作入力部
６２ｂ  店員側表示部
６２ｃ  レシート発行部（印字物出力手段）
６２ｄ  スキャナ部
６３    トレイ載置面
６４    トレイ
６５    アンテナ
７０    タッチボタン
７０ａ  ＩＣタグ・リサイクルボタン
７５    商品マスタデータ
７６    在庫管理データ
８０    商品データ
８１    実行ボタン
８２    入力ボタン
８３    終了ボタン
６００  ＣＰＵ（読出手段、ＩＣタグ計数手段）
６０１  記憶部（情報格納手段）
６０２  ＲＯＭ（情報格納手段）
６０３  ＲＡＭ
６０４  客側表示部
６０５  ドロア部
６０６  通信部
６０７  カードリーダ部
６０８  報知部
【図１】
0005239322.tif 000002
【図２】
0005239322.tif 000003
【図３】
0005239322.tif 000004
【図４】
0005239322.tif 000005
【図５】
0005239322.tif 000006
【図６】
0005239322.tif 000007
【図７】
0005239322.tif 000008
【図８】
0005239322.tif 000009
【図９】
0005239322.tif 000010
【図１０】
0005239322.tif 000011
【図１１】
0005239322.tif 000012
【図１２】
0005239322.tif 000013